(57)【要約】【課題】収納ボックスへのクリップの取付けを簡単な取付け構成とすることにより、その取付作業性を向上させることにある。【解決手段】断面クランク形状の段差部位６０ａの収納ボックス底面９に対して垂直な面となる第一の面６２には、収納ボックス２を積上げ当該段差部位６０ａに他の収納ボックス２が係合した状態で、少なくともクリップ１の板厚の隙間が形成されており、所定の隙間が形成された段差部位６０ａの第一の面６２において、第一の面６２にクリップ１の収納ボックス２への取付け部位３０を相対位置決め係合して取付ける取付係合部位７０が所定の隙間に収納される大きさの範囲内で設けられており、クリップ１の取付け部位３０が第一の面６２に設けられた取付係合部位７０に係合されることによりクリップ１が収納ボックス２の箱形状の側面にカンバン等の平板状の表示部材を挟持可能に配置されて取付けられる。【選択図】        図４
2005343510.tif 000002
【特許請求の範囲】
【請求項１】
上面が開口した有底の箱形状の収納ボックスには、該開口を形成する箱形状の上部周縁を該収納ボックスの外方方向に向けて折り返して形成された取手部と、該収納ボックスを積上げる際に他の収納ボックスの取手部と係合するために該収納ボックス底部の周縁が断面クランク形状に切り欠かれて形成された段差部位とを有し、該収納ボックスの箱形状の少なくとも一側外面にカンバン等の平板状の表示部材を挟持するクリップが配置される構成の該クリップを収納ボックスに取付ける表示部材挟持用クリップの収納ボックス取付構造であって、
前記クリップが配置される箱形状の外面箇所における、前記断面クランク形状の段差部位の収納ボックス底面に対して垂直な面となる第一の面には、収納ボックスを積上げ当該段差部位に他の収納ボックスが係合した状態で、少なくとも前記クリップの板厚の隙間が形成されており、
該所定の隙間が形成された前記段差部位の第一の面において、該第一の面に前記クリップの収納ボックスへの取付け部位を相対位置決め係合して取付ける取付係合部位が前記所定の隙間に収納される大きさの範囲内で設けられており、
前記クリップの取付け部位が該第一の面に設けられた取付係合部位に係合されることによりクリップが収納ボックスの箱形状の側面にカンバン等の平板状の表示部材を挟持可能に配置されて取付けられることを特徴とする表示部材挟持用クリップの収納ボックス取付構造。
【請求項２】
請求項１に記載の表示部材挟持用クリップの収納ボックス取付構造であって、
前記段差部位の第一の面に設けられる取付係合部位は、前記クリップの収納ボックスへの取付け部位を挿通可能な収納形状の収納部として形成されており、
該クリップの収納ボックスへの取付け部位は先端に係止爪を有する挿通部材として形成されており、
前記第一の面に設けられた収納部に前記クリップの挿通部材を挿通させて、その先端部の係止爪を挿通部材の挿入開口端部に係止させることにより、相対位置決めして取付けられることを特徴とする表示部材挟持用クリップの収納ボックス取付構造。
【請求項３】
請求項１又は請求項２に記載の表示部材挟持用クリップの収納ボックス取付構造であって、
前記箱形状の収納ボックスの外側面に配置されてカンバン等の平板状の表示部材を挟持するクリップは、前記段差部位に該クリップを取付けた状態において前記段差部位に沿ったクランク形状の第一の部位と、該第一の部位と連結して前記収納ボックスの外側面に近づく方向に傾斜した第二の部位とを有する脚部を有し、
前記断面クランク形状の段差部位の収納ボックス底面に対して平行な面となる第二の面には、該クリップの取付け状態において前記第二の面から前記脚部の第一の部位が突出せずに収まる凹部が形成されていることを特徴とする表示部材挟持用クリップの収納ボックス取付構造。
【請求項４】
請求項１から請求項３のいずれかに記載の表示部材挟持用クリップの収納ボックス取付構造であって、
前記クリップの脚部には、前記カンバン等の平板状の表示部材を前記収納ボックスに挟持した状態において該表示部材の表示内容を外部から読み取ることのできる窓部が設けられていることを特徴とする表示部材挟持用クリップの収納ボックス取付構造。
【請求項５】
請求項１から請求項４のいずれかに記載の表示部材挟持用クリップの収納ボックス取付構造であって、
前記収納ボックスの一側外面には、前記収納部が複数個設けられていることを特徴とする表示部材挟持用クリップの収納ボックス取付構造。
【発明の詳細な説明】
【技術分野】
【０００１】
本発明は、収納ボックスにカンバンなどの表示部材を挟持して固定するための表示部材挟持用クリップの収納ボックス取付構造に関する。
【背景技術】
【０００２】
部品の在庫管理方法として、必要な部品を必要な時に生産・調達するいわゆるカンバン方式が知られている。カンバン方式では、在庫管理情報等を記載したカンバンが部品収納ボックスの側壁に固定され、その部品の在庫管理情報を作業者が確認しつつ作業を行う。
収納ボックスの側壁にカンバンを取付ける取付構造の従来例としては、図７に示すとおり、収納ボックス１１０の孔部１２０と係合溝１３０とを利用して樹脂製のクリップ１０５を取付ける取付構造がある（注）。
収納ボックス１１０の側壁には、リブ片１１１，１１１と上下フランジ部１１２ａ，１１２ｂとで囲まれた略長方形状の枠部位１１５が形成されている。枠部位１１５の両側部壁下部には案内溝１１７，１１７が設けられている。そして枠部位１１５の中央には係合溝１３０が形成されている。更に中央下部の係合溝１３０を挟んで左右対称に枠部位１１５底面に孔部１２０が二箇所形成されている。
一方クリップ１０５は、上述の枠部位１１５に嵌まり込む形状の枠体であり、長尺な平板形状の取付部１０７と，カンバン（図示しない。）を固定する大小二つの略コ字形状を有する支持部材１０９ａ，１０９ｂとを備える。取付部１０７の底面には、上述の孔部１２０に嵌め込むための突起部１４０が二つ形成されている。
（注）上述の技術は従来から実施されているものであるが、当該技術を開示した公知発明の文献は見当たらない。
【０００３】
このクリップ１０５の取付部１０７の両縁を枠部位１１５両側壁下部の案内溝１１７，１１７に挿入した状態で、枠部位１１５に収納される方向にクリップ１０５をスライド移動させる。そして収納ボックス１１０中央の係合溝１３０に平板底面部を引っかけつつ、孔部１２０と突起部１４０とを嵌め合わせる。この複数種類の取付け構造により、クリップ１０５を枠部位１１５に取付け固定する。カンバンは、枠部位１１５と支持部材１０９ａ，１０９ｂとの間に挟み込まれて収納ボックス２に固定される。
【発明の開示】
【発明が解決しようとする課題】
【０００４】
しかし上述のクリップ１０５の取付構造では、その取付作業性が若干劣るという問題があった。つまり枠部位１１５に収納される方向にクリップ１０５をスライド移動させる場合、その突起部１４０とフランジ部１１２ｂとが接触し干渉するため、取付部１０７をやや上方に撓ませなければうまくスライド移動できない。しかし枠部位１１５中央に位置する係合溝１３０に取付部１０７を係合させるためには、取付部１０７の中央を撓ませることなく、係合溝１３０に平行に嵌まり込ませる必要がある。
結果として取付部１０７の中央部分を作業者が手で抑えつつ、その突起部１４０，１４０周辺だけを撓ませ、クリップ１０５をスライド移動させて収納ボックス１１０に取付けなければならなかった。
本発明は上述した点に鑑みて創案されたものである。つまり本発明が解決しようとする課題は、収納ボックスへのクリップの取付けを簡単な取付け構成とすることにより、その取付作業性を向上させることにある。
【課題を解決するための手段】
【０００５】
上記課題を解決するために、本発明の各発明は次の手段をとる。
先ず第１の発明に係る表示部材挟持用クリップの収納ボックス取付構造は、上面が開口した有底の箱形状の収納ボックスには、開口を形成する箱形状の上部周縁を収納ボックスの外方方向に向けて折り返して形成された取手部と、収納ボックスを積上げる際に他の収納ボックスの取手部と係合するために収納ボックス底部の周縁が断面クランク形状に切り欠かれて形成された段差部位とを有し、収納ボックスの箱形状の少なくとも一側外面にカンバン等の平板状の表示部材を挟持するクリップが配置される構成のクリップを収納ボックスに取付ける表示部材挟持用クリップの収納ボックス取付構造であって、クリップが配置される箱形状の外面箇所における、断面クランク形状の段差部位の収納ボックス底面に対して垂直な面となる第一の面には、収納ボックスを積上げ当該段差部位に他の収納ボックスが係合した状態で、少なくともクリップの板厚の隙間が形成されており、所定の隙間が形成された段差部位の第一の面において、第一の面にクリップの収納ボックスへの取付け部位を相対位置決め係合して取付ける取付係合部位が所定の隙間に収納される大きさの範囲内で設けられており、クリップの取付け部位が第一の面に設けられた取付係合部位に係合されることによりクリップが収納ボックスの箱形状の側面にカンバン等の平板状の表示部材を挟持可能に配置されて取付けられる。
【０００６】
この第１の発明では、収納ボックスを積上げた状態で、収納ボックスの段差部位に他の収納ボックスの取手部が互いに嵌合した状態となる。このときクリップが取付けられる収納ボックスの段差部位に形成された第一の面と他の収納ボックスとの間には、少なくともクリップの板厚分の隙間（以下、「収納ボックス間の隙間」とも呼ぶ。）が形成される。
また収納ボックスにクリップが取り付けられた状態（取付状態）においては、収納ボックスの第一の面に設けられた取付係合部位とクリップに設けられた取付け部位とが係合した状態となっている。これらにより、収納ボックスとクリップとの相対的な位置が決定される。
更にカンバン等の平板状の表示部材は、収納ボックスの箱形状の側面にクリップで挟持されて取付けられ固定された状態となる。
【０００７】
次に第２の発明に係る表示部材挟持用クリップの収納ボックス取付構造は、第１の発明に係る表示部材挟持用クリップの収納ボックス取付構造であって、段差部位の第一の面に設けられる取付係合部位は、クリップの収納ボックスへの取付け部位を挿通可能な収納形状の収納部として形成されており、クリップの収納ボックスへの取付け部位は先端に係止爪を有する挿通部材として形成されており、第一の面に設けられた収納部にクリップの挿通部材を挿通させて、その先端部の係止爪を挿通部材の挿入開口端部に係止させることにより、相対位置決めして取付けられる。
この第２の発明では、収納ボックスの第一の面に設けられた収納部とクリップに設けられた挿通部材との両者により、収納ボックスとクリップとの相対的な位置が決定される。つまり挿通部材を収納部に挿入・通過（挿通）させる。そして、挿通部材の先端部に設けられた係止爪を挿通部材の挿入開口端部に引っかけることで、挿通部材と収納部との相対移動を抑止（係止）する。
【０００８】
次に第３の発明に係る表示部材挟持用クリップの収納ボックス取付構造は、第１の発明又は第２の発明に係る表示部材挟持用クリップの収納ボックス取付構造において、箱形状の収納ボックスの外側面に配置されてカンバン等の平板状の表示部材を挟持するクリップは、段差部位にクリップを取付けた状態において段差部位に沿ったクランク形状の第一の部位と、第一の部位と連結して収納ボックスの外側面に近づく方向に傾斜した第二の部位とを有する脚部を有し、断面クランク形状の段差部位の収納ボックス底面に対して平行な面となる第二の面には、クリップの取付状態において第二の面から脚部の第一の部位が突出せずに収まる凹部が形成されている。
この第３の発明では、取付状態においてクランク形状をした脚部の第一の部位が収納ボックス間に挟まれた位置に配置される。この取付状態時の第一の部位は、収納ボックス間の隙間と第二の面に設けられた凹部に収納される。また収納ボックスを積上げた状態においては、凹部の収納ボックス高さ方向の開口部分は他の収納ボックスの取手部により蓋をされた状態となっている。
そして第一の部位と連結して収納ボックスの外側面に近づく方向に傾斜した脚部の第二の部位によりカンバン等の平板状の表示部材を挟持する。
【０００９】
次に第４の発明に係る表示部材挟持用クリップの収納ボックス取付構造は、第１の発明から第３の発明のいずれかに係る表示部材挟持用クリップの収納ボックス取付構造において、クリップの脚部には、カンバン等の平板状の表示部材を収納ボックスに挟持した状態において表示部材の表示内容を外部から読み取ることのできる窓部が設けられている。
この第４の発明では、取付状態時のカンバン等の平板状の表示部材の表示内容をクリップの脚部に設けられた窓部を通して外部からが読み取ることができる。
【００１０】
次に第５の発明に係る表示部材挟持用クリップの収納ボックス取付構造は、第１の発明から第４の発明のいずれかに係る表示部材挟持用クリップの収納ボックス取付構造において、前記収納ボックスの一側外面には、前記収納部が複数個設けられている。
この第５の発明では、収納ボックスには、収納ボックスの一側外面に収納部が複数個設けられている。なおクリップに設けられる挿通部材は、収納部の個数に対応した個数設けられていてもよく、収納部の個数よりも少なくともよい。
【発明の効果】
【００１１】
上述した本発明によれば、次の効果を得ることができる。
先ず第１の発明によれば、取付係合部位と取付け部位という一種類の取付け構造だけで収納ボックスとクリップとの相対的な位置が決定される。このため、複数種類の取付け構造の場合と比較してその取付け構成が簡単となる。また取付係合部位と取付け部位の両者の大きさは、取付状態において他の収納ボックスとの間にクリップの板厚分の隙間を残して収納される大きさに形成されている。このため収納ボックス間にクリップが挟まり段差が生じるということはなく、収納ボックス積上げ時の安定性は従来どおり維持される。
【００１２】
次に第２の発明によれば、収納部と挿通部材を用いて収納ボックスとクリップとの相対的な位置が決定される取付け構成とすることにより、その取付作業性が向上する。すなわち従来の取付け構造とは異なり、収納ボックスとクリップとが干渉しない構成とすることでその取付け作業性を向上させることができる。
【００１３】
次に第３の発明によれば、収納ボックス間の隙間と第二の面に設けられた凹部に取付状態時の第一の部位が収納されるため、各収納ボックスを積上げた際にクリップが収納ボックス間に挟まらず段差が生じない。つまり積上げた収納ボックス同士が本来有する安定性が維持される。
また凹部の収納ボックス高さ方向の開口部分は、他の収納ボックスの取手部により蓋をされた状態となっている。このため、凹部に収納された第一の部位がその抜け方向へ移動することを他の収納ボックスの取手部が制限することができる。
そして収納ボックスの外側面に近づく方向に傾斜した脚部の第二の部位によりカンバン等の平板状の表示部材を挟持するため、カンバン等の平板状の表示部材を収納ボックスの外側面方向に押す力を付与しつつ挟持することができる。
【００１４】
次に第４の発明によれば、取付状態のカンバン等の平板状の表示部材の表示内容を外部からが読み取るため、その表示内容を外部から確認しながら作業者が作業可能となる。
次に第５の発明によれば、複数箇所設けられた収納部にクリップの挿通部材を挿通させることで収納ボックスとクリップとの相対的な位置が決定される。このため、収納部が一箇所のみに設けられている場合と比較してクリップの取付け自由度が高まる。またクリップを複数個形成した場合には、収納ボックスとクリップとの取付け安定性が向上する。
【発明を実施するための最良の形態】
【００１５】
以下に本発明を実施するための最良の形態を図面を参照して説明する。
図１はクリップの正面図、図２はクリップの断面図、図３は収納ボックスの一部斜視図、図４はクリップ取付時の収納ボックスの一部斜視図、図５は収納ボックス積上げ時の斜視図、図６は取付状態時における段差部位の断面図である。
【実施例１】
【００１６】
本実施例に係るクリップ１の取付構造は、クリップ１と収納ボックス２とからなる。
図５の収納ボックス２は、クリップ，クランプ，ケーブルワイヤ，電子部品などの車両組付け部品を収納・運搬するためのものである。
この収納ボックス２には、車両組付け部品の在庫管理情報等を記載した平板形状のカンバン（図示しない。）がクリップ１に挟持されて取付けられる。
【００１７】
〔クリップ〕
図１のクリップ１は、略台形形状の外形を有する一体成形された樹脂製の枠体である。このクリップ１は、取付部１０と，その取付部１０に連結した支持部２０とからなる。
取付部１０は、図２，４に示す通り長尺な板部材である。この取付部１０には、後述の支持部２０の中央脚部２２ａを挟んで左右対称に挿通部材３０が二箇所設けられている。
挿通部材３０は平板状の板部材である。また、挿通部材３０の先端部分には返し（係止爪３２）がついている。挿通部材３０は、図２のとおり、取付状態時に収納ボックス２を臨む側の取付部１０の面にその先端部分を上にして立った状態で形成されている。
【００１８】
支持部２０は、中央脚部２２ａと端部脚部２２ｂとカンバン固定部２４とからなる。
中央脚部２２ａは上述の取付部１０に連結した長尺な板部材であり、図１で見て取付部１０の略中央に位置に設けられている。端部脚部２２ｂ，２２ｂも取付部１０に連結した長尺な板部材であり、図１で見て取付部１０の両端に設けられている。
図２の各脚部２２ａ，２２ｂは第一の部位２６と第二の部位２８とからなる。第一の部位２６はクランク形状に形成され、取付状態時に後述の段差部位６０を臨む部位である。
第二の部位２８は、取付状態時に後述の第一の外側面８ａ（図４を参照。）を臨む部位である。そして、第一の外側面８ａに近づく方向に傾斜を付けて形成されている。
なお各脚部２２ａ，２２ｂと上述の挿通部材３０とは、クリップ１の一体形成を容易にするため、図１で見て互いに重なり合わない位置に設けられている。
【００１９】
図１のカンバン固定部２４は平板状の部材であり、上述の各脚部２２ａ，２２ｂに支持されて後述の第一の外側面８ａ（図４を参照。）を臨む位置に配置される。カンバン固定部２４の上端縁部分は、取付状態時に第一の外側面８ａから離れる方向に反り返って形成されている。
このカンバン固定部２４と各脚部２２ａ，２２ｂとで囲まれた部位は、略四角形状の窓部５０となっている。窓部５０は、中央脚部２２ａを挟んで左右対称に二つ形成されている。作業者は、固定されたカンバンに記載された表示内容を窓部５０から読み取れる。
【００２０】
〔収納ボックス〕
図５の収納ボックス２は略長方形状の有底箱体であり、樹脂製の一体成形品である。
収納ボックス２の上部開口部の縁はその全周にわたって外方，下方の順に折り返され、下側に開口した断面略コ字状の取手部３を形成している。図３の収納ボックスの底面９には縦横に走る交差リブ５が設けられ、その補強が図られている。
収納ボックスの側壁８（８ａ）の外部に臨む面には補強リブ７が設けられている。図５の補強リブ７は、段差部位６０から取手部３内部に至る長さを有する長尺な平板状部材である。補強リブ７は、収納ボックス２の各側壁８（８ａ）の角部寄りに二個ずつ配置されている。そして図５の正面に位置する第一の外側面８ａにカンバンが取付けられる。
更に図３のとおり、収納ボックスの各側壁８（８ａ）と収納ボックスの底面９との連結部分には、断面クランク形状に切り欠かれた段差部位６０が形成されている。
【００２１】
段差部位６０は、収納ボックス２の全周にわたって形成されている。段差部位６０は、収納ボックス２を図５のように積上げた場合、他の収納ボックス１０２の取手部３と嵌合して支持される部位である。
図３の第一の外側面８ａに形成された段差部位６０ａは、収納ボックス２の奥行き方向にへこんで形成されている。このため収納ボックス２を積上げた状態では、収納ボックスの底面９に対して垂直な第一の面６２と他の収納ボックス１０２との間には隙間があくこととなる。図６の段差部位６０ａでは、クリップ１の厚み分以上の隙間があいている。
更に第一の面６２には収納部７０が設けられている。収納部７０は断面略コ字状の枠部材であり、第一の面６２に垂直に開口した挿入口７２と出口７４とを有する。収納部７０は二箇所形成されており、クリップ１の取付状態時における前述の挿通部材３０の位置と対応した位置に形成されている。
【００２２】
次に段差部位６０ａの収納ボックスの底面９に対して平行な第二の面６４には凹部８０と孔部８１とが形成されている。
図３の凹部８０は、収納ボックス２の高さ方向に略長方形状に切り欠かれて形成された部位である。この凹部８０は、クリップ１の取付状態時に上述の各脚部２２ａ，２２ｂが嵌め込まれる部位である。凹部８０は、クリップ１の取付状態時の脚部２２ａ，２２ｂが少なくとも第二の面６４と面一となる深さに形成されている。
孔部８１は略長方形状に収納ボックス２を貫通した孔である。この孔部８１は、図４，６のとおり、クリップ１の取付状態における挿通部材３０の先端部分が収納される部位である。
【００２３】
次に、クリップ１の取付構造を図４，図６に基づいて説明する。
先ず隙間を有する段差部位６０ａの第一の面６２に沿ってクリップ１の挿通部材３０を収納ボックス２高さ方向（図４で見て下から上への方向）から近づけていく。そして挿通部材３０の先端部分から収納部７０の挿入口７２に挿入していき、図６のように係止爪３２が出口７４の縁に係合するまで押し込む。このとき挿通部材３０の先端部分は孔部８１に収まるため、挿通部材３０と第二の面６４とが直接接触することはない。
またクリップ１の各脚部２２ａ，２２ｂは、挿通部材３０の挿入動作による移動に追従して第二の面６４側に近づいていく。そして第二の面６４に設けられた三箇所の凹部８０にそれぞれの脚部２２ａ，２２ｂが嵌まり込む。
このようにしてクリップ１と収納ボックス２との取付けが図４，６のとおり完了する。
【００２４】
次にクリップ１の取付構造の作用・効果について説明する。
先ず収納部７０と挿通部材３０とが係合し、収納ボックス２とクリップ１との相対的な位置が決定される。つまり一種類の取付け構造により、収納ボックス２とクリップ１との相対的な位置が決定される。このため複数種類の取付け構造の場合と比較してその取付け構成が簡単となる。
更に挿通部材３０以外の部分は収納ボックス２と干渉しない形状となっている。このため、上述した従来の取付け構成と比較してその取付作業性が向上する。
そして収納ボックス２の外側面に近づく方向に傾斜した脚部の第二の部位２８によりカンバンを挟持する。このため、第一の外側面８ａ方向に押す力を付与しつつカンバンを挟持することができる。
【００２５】
次に図６のように、収納部７０と挿通部材３０の両者は、取付状態において他の収納ボックス１０２との間にクリップ１の板厚分の隙間を残して収納される大きさに形成されている。そして収納ボックス間の隙間と第二の面６４に設けられた凹部８０に取付状態時の第一の部位２６が収納される。このため、各収納ボックスを積上げた際にクリップ１が収納ボックス間に挟まらず段差が生じない。よって積上げた収納ボックス同士が本来有する安定性が維持される。
また収納ボックス２を積上げた状態においては、凹部８０の収納ボックス高さ方向の開口部分は他の収納ボックス１０２の取手部３により蓋をされた状態となっている。このため、凹部８０に収納された第一の部位２６がその抜け方向へ移動することを他の収納ボックス１０２の取手部３が制限する。
【００２６】
次にカンバンの表示内容を窓部５０から読み取ることができるため、その在庫管理情報等を外部から確認しながら作業者が作業を行うことができる。
次に左右対称に複数箇所設けられた挿通部材３０と収納部７０の両者により収納ボックス２とクリップ１との相対的な位置が決定される。このため、両者が一箇所のみに設けられている場合と比較してその取付け安定性が向上する。
また挿通部材３０と収納部７０とは、中央脚部２２ａを挟んで左右対称に設けられている。このため、その係止力（互いに引っかけ合うことで生じる相対移動を抑止する力）がクリップ１の左右に均等に働く。
【００２７】
［その他の実施の形態］
本発明に係るクリップ１の取付構造は、その他各種の実施の形態を取り得る。
先ずクリップ１の板厚方向に隙間が形成された段差部位６０ａは、収納ボックス２の外周に沿って複数箇所形成されていてもよい。例えば、収納ボックス２の四枚側壁のすべてにその段差部位６０が形成されていてもよい。この場合、収納ボックス２のすべての側壁８にクリップ１を取付けることができる。
【００２８】
次に挿通部材３０と収納部７０の両者の数は二個以上であってもよい。また挿通部材３０と収納部７０との数は必ずしも同数である必要はない。収納部７０の数が挿通部材３０の数よりも多く形成されている場合には、挿通部材３０を挿通する収納部７０を適宜変更できる。これにより、収納ボックス２とクリップ１との取付け自由度が高まる。なお両者を二個以上設ける場合であっても、中央脚部２２ａを挟んで左右対称に挿通部材３０と収納部７０とが設けられることが好ましい。
また各脚部と凹部８０との数も三個以上であってもよい。凹部８０の数が脚部の数よりも多くてもよい。なお各脚部は、図１で見て左右対称に設けられることが好ましい。クリップ１が収納ボックス２に取付けられた際、カンバン固定部２４を左右から安定して支持するため、クリップ１のガタつきがない。
【００２９】
次に窓部５０も挟み込まれるカンバンに合わせて一つであってもよく、二個以上設けられていてもよい。窓部５０の設けられる位置も適宜変更できる。なお各脚部２２ａ，２２ｂをアクリル板などの透明な一枚板で形成した場合には、窓部５０を設ける必要はない。
補強リブ７の数，形状も適宜変更できる。なお収納ボックス２を剛性のある金属・樹脂等の材質で形成しその強度を確保できる場合には、補強リブ７を設ける必要はない。
孔部８１の形状も適宜変更できる。なお取付状態において挿通部材３０と第二の面６４とが互いに接触せず干渉しない場合には孔部８１を設ける必要はない。
【００３０】
次に収納ボックス２の形状は、四角形・六角形の多角形状，円形状など公知の形状をとり得る。円形の収納ボックス２を用いる場合や収納ボックス２の角部にクリップ１を取付ける場合には、柔軟性のある樹脂製クリップ１を収納ボックス２側面の丸みに沿って撓ませながら取付ける。
またクリップ１の材質は、収納ボックス２に取付けることができる限り、金属，エラストマ，ゴム，木質材料など適宜変更することができる。
【００３１】
次に挿通部材３０を、図４の上から下への方向から収納部７０に挿入することもできる。この場合、第一の面６２の収納ボックスの底面９側寄りに収納部７０が設けられる。そして第一の面６２と第二の面６４との間には挿通部材３０が第一の面６４に沿って挿入可能な分だけの隙間をあけておく。なお取付状態において、収納ボックスの底面９から挿通部材３０の先端が突出しないよう、挿通部材３０の先端部分を短く形成しておくことが望ましい。
【００３２】
次に、収納ボックス２の奥行き方向からクリップ１を収納ボックス２に取付けてもよい。このとき段差部位６０の第一の面６２を貫通した貫通孔が収納ボックス２に形成される。そして、その貫通孔に挿入されて収納ボックス２の内部側の縁と係合する挿通部材がクリップ１に形成される。挿通部材は、第一の面６２を構成する収納ボックス２の厚み方向に突出して設けられた筒状の脚部と，脚部の側部から外方向へ突出して張り出すことで独立して脚部径方向内方へ変形可能なバネ作用が付与された係止片とを有する。また挿通部材は、板状の脚部と，脚部先端から折り返して張出した一対の係止片を有してもよい。
これによれば、収納ボックス２の高さ方向にクリップ１を相対的に移動させる必要がない。よって、収納ボックス２を載置したままでクリップ１を取付けることができる。
【００３３】
次に収納ボックス２の左右（幅）方向からクリップ１を収納ボックス２に取付けてもよい。このとき収納部７０は、収納ボックス２の幅方向に開口した挿入口７２と出口７４とを有する。挿通部材３０は、収納ボックス２の幅方向にその先端が向くようにクリップ１に取付けられる。なお収納部７０と挿通部材３０とは、段差部位６０の第一の面６２とクリップ１とのいずれに設けてもよい。
これによれば、収納ボックス２の高さ方向にクリップ１を相対的に移動させる必要がない。よって、収納ボックス２を載置したままでクリップ１を取付けることができる。
【００３４】
次に収納ボックス２とクリップ１とで、挿通部材３０と収納部７０とを逆に設けてもよい。つまり段差部位６０ａの第一の面６２に挿通部材３０を形成する。そして、クリップ１に収納部７０を形成する。
例えば段差部位６０ａの第一の面６２には、その自由端に係止爪３２が形成された断面略Ｌ字状の挿通部材３０が設けられる。自由端は収納ボックス２の高さ方向に立設した状態となっている。一方クリップ１には、挿通部材３０が嵌まり込む筒状の収納部７０が設けられる。
【図面の簡単な説明】
【００３５】
【図１】クリップの正面図である。
【図２】クリップの断面図である。
【図３】収納ボックスの一部斜視図である。
【図４】クリップ取付時の収納ボックスの一部斜視図である。
【図５】収納ボックス積上げ時の斜視図である。
【図６】取付状態時における段差部位の断面図である。
【図７】クリップと収納ボックスとの取付構造の従来例を示した図である。
【符号の説明】
【００３６】
１  クリップ
２  収納ボックス
３  取手部
５  交差リブ
７  補強リブ
８  収納ボックスの側壁
８ａ  第一の外側面
９  収納ボックスの底面
１０  取付部
２０  支持部
２２ａ  中央脚部
２２ｂ  端部脚部
２４  カンバン固定部
２６  第一の部位
２８  第二の部位
３０  挿通部材
３２  係止爪
５０  窓部
６０，６０ａ  段差部位
６２  第一の面
６４  第二の面
７０  収納部
７２  挿入口
７４  出口
８０  凹部
８１  孔部
１０２  他の収納ボックス
１０５  従来のクリップ
１０７  従来の取付部
１０９ａ，１０９ｂ  支持部材
１１０  従来の収納ボックス
１１１  リブ片
１１２ａ，１１２ｂ  フランジ部
１１５  枠部位
１２０  孔部
１３０  係合溝
１４０  突起部
１１７  案内溝
１４０  突起部
【図１】
2005343510.tif 000003
【図２】
2005343510.tif 000004
【図３】
2005343510.tif 000005
【図４】
2005343510.tif 000006
【図５】
2005343510.tif 000007
【図６】
2005343510.tif 000008
【図７】
2005343510.tif 000009